(57)【要約】      （修正有）【課題】種々の面での反射による虚像の映り込みを排除し、種々の方向からの入射光によって立体像が見難くなることを抑制した、内部に立体像が彫刻された置物を提供する。【解決手段】内部に立体像が彫刻された透明ガラス構造体２１、及び、該透明ガラス構造体２１の背面全体に遮光背面部材２２を有する置物であって、該透明ガラス構造体２１の内部にレーザー光の焦点の位置を移動させることによって、立体像２３が彫刻されたものであり、該遮光背面部材２２が、可視光全体の透過率が１％以下となるような吸光係数と厚さを有するものであって、該透明ガラス構造体２１の側面はつや消し面になっており、該透明ガラス構造体２１の前面は平滑面になっており、該前面と該透明ガラス構造体２１の底面がなす傾斜角度が６０°以上８５°以下であることを特徴とする。【選択図】図１
0003178264.tif 000002
【実用新案登録請求の範囲】
【請求項１】
内部に立体像が彫刻された透明ガラス構造体、及び、該透明ガラス構造体の背面全体に遮光背面部材を有する置物であって、
該透明ガラス構造体が、該透明ガラス構造体の内部にレーザー光の焦点を結ばせ、該焦点の位置を移動させることによって、該立体像がその内部に彫刻されたものであり、
該遮光背面部材が、該置物の前面から該立体像が見易いように、可視光全体の透過率が１％以下となるような吸光係数と厚さを有するものであって、
該透明ガラス構造体の側面はつや消し面になっており、該透明ガラス構造体の前面は平滑面になっており、該前面と該透明ガラス構造体の底面がなす傾斜角度が６０°以上８５°以下であることを特徴とする置物。
【請求項２】
上記透明ガラス構造体の上面が平滑面になっており、かつ凸レンズ面になっている請求項１に記載の置物。
【請求項３】
上記遮光背面部材が、可視光を透過しない黒色、濃い赤色、濃い青色、濃い黄色又は濃いピンク色である請求項１又は請求項２に記載の置物。
【請求項４】
上記遮光背面部材の材料が、ガラス、石又は樹脂である請求項１ないし請求項３の何れかの請求項に記載の置物。
【請求項５】
上記透明ガラス構造体の背面全体に上記遮光背面部材を貼り付けた後に、置物の上面及び側面を研摩して貼り付け跡を除き、該透明ガラス構造体と該遮光背面部材とを一体化させた請求項１ないし請求項４の何れかの請求項に記載の置物。
【請求項６】
上記立体像が、神、仏、人物、建造物、乗物、動植物、景色、文字、記念写真又はトロフィーを形取ったものである請求項１ないし請求項５の何れかの請求項に記載の置物。
【考案の詳細な説明】
【技術分野】
【０００１】
本考案は、内部に立体像が彫刻された透明ガラス構造体及び遮光背面部材を有する置物であって、光の反射の影響を受け難くし、前面から立体像を見易くした置物に関するものである。
【背景技術】
【０００２】
ガラスの内部にレーザーで描画する技術は知られており、描画された立体像を外部から見えるようにした置物も知られている。
【０００３】
特許文献１には、レーザー光を位置制御してスキャンし、クリスタルガラスの内部の所望の位置に焦点を結ばせることにより、かかる焦点に微細なクラックを点状に作って画像を形成する技術が記載されている。
しかし、これは、画像平面の「クリスタルガラスの目視面」に対する角度を規定して見易くしたものであり、特許文献１に記載の技術は、クリスタルガラスの内部の所望の平面に、平面的画像を形成したものであった。
【０００４】
特許文献２には、集光したレーザー光を照射することによって圧縮応力が蓄積された熱変質層を有する加工物が記載されている。
しかし、この技術は特に置物に応用されるものではなく、内部に形成された画像（立体像）を外部から目視し易くしたものでもなかった。
【０００５】
特許文献３には、クリスタルガラスの内部に立体像をレーザー加工した墓石が記載されているが、特に該立体像を外部から見易くしたものではなかった。
【０００６】
また、特許文献４には、内部をレーザー加工して画像を形成し、裏面を黒色又は暗色に処理し、裏面から正面に向かって広がるように形成された傾斜した側面及び天面を有する置物が記載されている。この技術は裏面からの入射光を遮断して画像のコントラストを上げ、直方体の置物に比べ多くの外光を取り入れることができるため、画像をより明るく見せる技術である。
しかし、外部からの光が置物の前面で反射することによって画像が見え難くなることや、置物の側面において、クリスタルガラスの内部から外部に向かっての光の反射によって見難くなることを抑制したものではなく、画像の見易さについては充分ではなかった。
【先行技術文献】
【特許文献】
【０００７】
【特許文献１】特開２００８−１８３６１６号公報
【特許文献２】特開２００９−２２１０４６号公報
【特許文献３】特開２０１０−１９６４５３号公報
【特許文献４】特開２０１１−１１０９２８号公報
【考案の概要】
【考案が解決しようとする課題】
【０００８】
本考案は上記背景技術に鑑みてなされたものであり、その課題は、種々の面での反射による虚像の映り込みを排除し、種々の方向からの入射光によって立体像が見難くなることを抑制し、また、見た目も美しい外観を有する、内部に立体像が彫刻された置物を提供することにある。
【課題を解決するための手段】
【０００９】
本考案者は、上記の課題を解決すべく鋭意検討を重ねた結果、置物の背面、側面及び前面を特定の物性を有する材料又は形態にしたり、特定の角度に設定したりすることによって、透明ガラス構造体の内部に彫刻された立体画像が、前面から極めて見易くなることを見出して、本考案を完成するに至った。
【００１０】
すなわち、本考案は、内部に立体像が彫刻された透明ガラス構造体、及び、該透明ガラス構造体の背面全体に遮光背面部材を有する置物であって、
該透明ガラス構造体が、該透明ガラス構造体の内部にレーザー光の焦点を結ばせ、該焦点の位置を移動させることによって、該立体像がその内部に彫刻されたものであり、
該遮光背面部材が、該置物の前面から該立体像が見易いように、可視光全体の透過率が１％以下となるような吸光係数と厚さを有するものであって、
該透明ガラス構造体の側面はつや消し面になっており、該透明ガラス構造体の前面は平滑面になっており、該前面と該透明ガラス構造体の底面がなす傾斜角度が６０°以上８５°以下であることを特徴とする置物を提供するものである。
【考案の効果】
【００１１】
本考案によれば、前記問題点、上記課題を解決し、通常の前方向から見たときに透明ガラス構造体の前面に外部の物体が映り込まず、透明ガラス構造体の側面には透明ガラス構造体の内部側から見たときに立体像が映り込まず、また、横方向から見たときに透明ガラス構造体の側面に外部の物体が映り込まない。
【００１２】
また、透明ガラス構造体の背面全体に可視光全体の透過率の低い遮光背面部材を有するので、薄い有色透明又は無色透明の背面部材を用いた場合や、背面部材がない場合に比べて、格段に透明ガラス構造体内部に彫刻された立体像が見易くなり引き立つ。
また、該遮光背面部材を、黒色、濃い赤色、濃い青色、濃い黄色又は濃いピンク色にすることによって、反射光も制限され、背面が明色の部材でできている場合に比較して、更に、内部の立体像が見易くなり引き立つようになる。
【００１３】
また、該透明ガラス構造体の側面はつや消し面になっているので、外部から内部への、及び、内部から外部への映り込みを抑制でき、更に、つや消し面であるので側面からの光は透過するので、透明ガラス構造体内部に彫刻された立体像が前面から見易くなり引き立つ。
【００１４】
透明ガラス構造体の内部にレーザー光の焦点を結ばせ、該焦点の位置を移動させることによって内部に彫刻された立体像は着色ができず、白い微小点の集まりであるので、上記のような光の透過の向上や反射の抑制によってしか、立体像を見易くし引き立つようにする方法はなく、従って上記効果は極めて顕著な効果となる。
【００１５】
また、透明ガラス構造体の上面を平滑面とし、凸レンズ面にすれば、本考案の置物を見たい物の上に置くことで、老眼の人が眼鏡代わりに使用することもできる。
また、透明ガラス構造体の内部の立体像に加えて、置物自体の外観も美しくなり、置物として優れたものになる。
【図面の簡単な説明】
【００１６】
【図１】本考案の置物の一例の斜視図である。
【図２】本考案の置物の一例の側面図である。
【考案を実施するための形態】
【００１７】
本考案の置物は、例えば、図１及び図２に示したように、内部に立体像２３が彫刻された透明ガラス構造体２１、及び、該透明ガラス構造体２１の背面全体に遮光背面部材２２を有する。
該透明ガラス構造体２１の材質は、内部が見える程度に透明なガラスであり、レーザー光で立体像２３を形成できるものであれば特に限定はないが、好ましい材質として、石英ガラス、ホウケイ酸ガラス、クリスタルガラス、ソーダ石灰ガラス等が挙げられる。
有色透明でも無色透明でもよいが、無色透明であることが、内部の立体像２３が見易い、あらゆる立体像２３の種類に汎用的に適用し易い等の点から好ましい。
【００１８】
「石英ガラス」とは、石英（ＳｉＯ２）の純度が高いガラスをいう。
「ホウケイ酸ガラス」とは、ホウ酸を混ぜて熔融したもので、耐熱ガラス、硬質ガラスとして知られている。一般には、パイレックス（登録商標）といわれている。
「クリスタルガラス」とは、ケイ砂（ＳｉＯ２）、ソーダ灰等の主成分に、酸化鉛（ＰｂＯ）を添加して形成されるガラスをいう。透明度と屈折率が高まり、水晶のように輝く透明なガラスである。本考案における透明ガラス構造体２１としては、酸化鉛の含有量は特に限定はなく、アルカリ金属酸化物等の着色剤の顔料についても特に限定はない。
「ソーダ石灰ガラス」とは、ケイ砂（ＳｉＯ２）、炭酸ナトリウム、炭酸カルシウム等を混合して融解することにより得られるもので、ケイ素原子、酸素原子からなる正四面体構造が連なったケイ酸イオン中にナトリウムイオンやカルシウムイオンが入り込んだケイ酸塩の構造をとっているものである。
【００１９】
本考案の置物は、例えば、図１及び図２に示したように、上記透明ガラス構造体２１の背面全体に遮光背面部材２２を有する。
遮光背面部材２２は、置物１１の前面３１から、透明ガラス構造体２１の内部に形成された立体像２３が見易いように、可視光全体の透過率が１％以下となるような吸光係数と厚さを有することが必須である。
本考案における「可視光全体の透過率」とは、白色光を用い可視光の波長のみの透過率を測定したときの透過率をいう。
透過率は０．１％以下であることが好ましく、０．０１％以下であることがより好ましく、０．００１％以下であることが特に好ましい。該遮光背面部材２２は、実質的に可視光を透過しないものが最も好ましい。透過率が高過ぎると、立体像２３が見難くなる場合がある。
【００２０】
透過率を下げることは、吸光係数の高い材質を使用しても、遮光背面部材２２の厚さを厚くしてもよいが、厚さには制約があるので、吸光係数の高い材質を使用することが好ましい。遮光背面部材の厚さは、本考案の置物全体の厚さの１／３０〜１／３が好ましく、１／２０〜１／４がより好ましく、１／１５〜１／５が特に好ましい。
また、遮光背面部材の厚さは、１ｍｍ〜３０ｍｍが好ましく、２ｍｍ〜２０ｍｍがより好ましく、５ｍｍ〜１０ｍｍが特に好ましい。
【００２１】
上記遮光背面部材２２の色、すなわち反射光の色及び／又は透過光の色は特に限定はないが、黒色、濃い赤色、濃い青色、濃い黄色又は濃いピンク色であることが、立体像２３が見易い、あらゆる立体像２３の種類に汎用的に適用し易い等の点から好ましい。
該遮光背面部材２２は、可視光を透過しない、黒色、濃赤色又は濃青色であることが特に好ましい。ここで、「濃い色」とは、目視で「濃い」と感じる色であり、反射光又は透過光の吸収のベースが上がっていること、該色の原因となる吸収ピークがブロードになっていること等をいう。
【００２２】
材質は特に限定はないが、ガラス、石又は樹脂であることが好ましい。透明ガラス構造体２１との接着性、接着後の側面の研摩の容易さ、外観・感触等の点から、遮光背面部材２２の材質は、ガラス又は石であることが特に好ましい。
【００２３】
本考案の置物は、該置物１１を構成する透明ガラス構造体２１の内部にレーザー光の焦点を結ばせ、該焦点の位置をＸＹＺ方向に制御させながら移動させることによって焦点部分を変質させて、立体像２３を彫刻したものである。かかる彫刻方法は公知の方法が用いられる。
レーザー光の焦点部分は、ガラスに微小なクラック等を入れて物理的に変形させたり、屈折率、構成成分等を変化させて化学的に変質させたりして目視できるようにする。
レーザー光の波長は特に限定はなく、パルスか連続かも限定はない。具体的には、前記特許文献に挙げられている手法等も挙げられる。
【００２４】
本考案の置物１１を構成する透明ガラス構造体２１の側面は、例えば、図１及び図２に示したように、つや消し面３３になっている。つや消し面３３になっていることによって、ガラス表面の外部から内部に向かって外部の物の映り込みを防止でき、また、ガラス表面の内部から外部に向かって内部の物（すなわち立体像２３）の映り込みを防止できる。
また、つや消し面３３であるので側面からの外部の光は内部に透過するので、透明ガラス構造体２１内部の立体像２３が前面３１から見易くなり引き立つ。
また、置物として美的に優れたものとなる。
【００２５】
本考案においては、図１及び図２に示したように、透明ガラス構造体２１の側面の一部が、上記効果を奏するようにつや消し面３３になっていればよく、一部は平滑面であってもよい。図１及び図２に示したように、透明ガラス構造体２１の側面の上部が平滑面であり、下部がつや消し面３３であることが、内部の立体像２３が側面からも見ることができて、かつ上記効果を奏するので特に好ましい。
【００２６】
上記透明ガラス構造体２１の前面３１は平滑面になっており、該前面３１と該透明ガラス構造体２１の底面がなす傾斜角度αが、６０°以上８５°以下であることが必須である。
該前面３１と該透明ガラス構造体２１の底面がなす傾斜角度αは、６０°以上８５°以下が必須であるが、６３°以上８２°以下が好ましく、６６°以上７９°以下がより好ましく、７０°以上７６°以下が特に好ましい。
この範囲であると、通常の目線で見た場合、周りの物（照明も含む）の透明ガラス構造体２１の前面３１への映り込みを減らすことができて立体像２３が見易くなる。
【００２７】
本考案の置物を構成する透明ガラス構造体２１の上面３２は、例えば、図１及び図２に示したように、平滑面になっていることが、上部からも立体像２３を見ることができる点で好ましい。
更に、透明ガラス構造体２１の上面３２は凸レンズ面になっていることが特に好ましい。すなわち、全体が上に凸になるように加工されていることが好ましい。
凸レンズ面にすれば、上部からも立体像２３を良く見ることができるし、また、本考案の置物１１を見たい物（例えば、細かい字等）の上に置くことで、老眼の人が本考案の置物１１を老眼鏡代わりに使用することもできる。
【００２８】
上記立体像２３の種類は特に限定はなく、あらゆる物が対象となるが、上記立体像２３は、七福神等の神；仏；立像、胸像等の人物；タワー、建物、神社仏閣、橋等の建造物；汽車、電車、自動車、馬車等の乗物；十二支（干支）、花、鳥類、哺乳類等の動植物（架空のものも含む）；キャラクター；山、川、湖等の景色；詩、人名、訓示、対象物の名前等の文字；結婚式、葬式等の記念写真；トロフィー；等を形取ったものが挙げられる。
「立体像」には、例えば結婚写真等のような、像自体が平面であるものも含まれる。
【００２９】
本考案の置物１１の製造方法は特に限定はないが、上記透明ガラス構造体２１の背面全体に上記遮光背面部材２２を貼り付けた後に、置物１１の上面３２及び側面を研摩して貼り付け跡を除き、該透明ガラス構造体２１と該遮光背面部材２２とを一体化させた上記置物１１が、該透明ガラス構造体２１と該遮光背面部材２２とが一体となって違和感がなくなるために好ましい。
【産業上の利用可能性】
【００３０】
本考案の置物は、写真と違い立体的な画像を鮮明に見ることができ、置物として優れているので、あらゆる装飾品の分野に広く利用されるものである。
【符号の説明】
【００３１】
１１・・・置物
２１・・・透明ガラス構造体
２２・・・遮光背面部材
２３・・・立体像
３１・・・前面
３２・・・上面
３３・・・つや消し面
α・・・傾斜角度
【図１】
0003178264.tif 000003
【図２】
0003178264.tif 000004